(57)【要約】【課題】ハウジングに嵌合する環状部材と、環状部材に結合しているシール本体部と、軸に嵌合しているスリンガと、を備えた密封装置において、軸が偏心した場合であっても耐泥水性を大幅に向上させることができる密封装置を提供する。【解決手段】スリンガ２にフランジ部２２の端部から内部Ａに延びる第二円筒部２３を設け、シール本体部４に設けた第一ダストリップ４４と第二ダストリップ４５で第二円筒部２３の両周面（２３ａ，２３ｂ）を挟み込むように摺動させてシールすることとした。【選択図】図１
2006125424.tif 000002
【特許請求の範囲】
【請求項１】
相対動する二部材間の環状空間をシールするものであって、一の部材に嵌合する環状部材と、該環状部材に結合しているシール本体部と、他の部材に嵌合しているスリンガと、を備えた密封装置において、
前記スリンガは、前記他の部材に嵌合している第一円筒部と、該第一円筒部の端部から外径方向に延びるフランジ部と、該フランジ部の端部から密封対象側に延びる第二円筒部を備え、前記シール本体部に前記第二円筒部の両周面と摺動する複数のダストリップを設けたことを特徴とする密封装置。
【発明の詳細な説明】
【技術分野】
【０００１】
本発明は、密封装置に係り、更に詳しくは、自動車、農産機関連分野で用いられ、泥水、ダスト等の異物を除去するダストリップ付きの密封装置に関するものである。
【背景技術】
【０００２】
自動車のハブシール等に使用される密封装置としては、従来図２に示す密封装置が知られている。この密封装置１０１は、軸１０２に嵌合しているスリンガ１０３と、ハウジング１０４に嵌合している環状部材１０５と、環状部材１０５に結合しているシール本体部１０６とを備えている。スリンガ１０３は、軸１０２に嵌合している円筒部１０３ａと、円筒部１０３ａの端部から外径方向に延びるフランジ部１０３ｂからなる断面略Ｌ字形状をしている。シール本体部１０６は、環状部材１０５に結合して設けられており、グリスリップ１０６ａと，円筒部１０３ａに摺動しグリスリップ１０６ａより反密封対象側Ｂに位置するダストリップ１０６ｂと、フランジ部１０３ｂに摺動するサイドリップ１０６ｃとを有している。これにより、グリスリップ１０６ａが主に、密封対象側Ａに封入されている油、グリース等の潤滑剤をシールし、サイドリップ１０６ｃとダストリップ１０ｂが主に、外部の泥水、ダスト等の異物が密封対象側Ａに侵入しないようにシールしている。
【０００３】
上記密封装置は、外部からの泥水、ダスト等の異物の侵入レベルである耐泥水性を調査する泥水試験での評価では、１５サイクルを満足する構造として設計されているが、耐泥水性を更に向上し、泥水試験でのレベルを３０サイクル以上とする要望がある。対応として、サイドリップを一枚追加して２枚構造とすることが検討されたが耐泥水性を大幅に向上することが出来ず、特に軸が偏心した場合の耐泥水性に問題があった。更に、摺動抵抗が高くなるという問題点もあった。
【０００４】
また、下記特許文献１および２において、耐泥水性を向上するためにスリンガのフランジ部の端部に第二円筒部を設け、該第二円筒部の外周面にダストリップを設けることが提案されているが、耐泥水性を大幅に向上することは出来なかった。
【０００５】
【特許文献１】実公平０７−４０１２７号公報
【特許文献２】実用新案登録第２５９２４８７号公報
【発明の開示】
【発明が解決しようとする課題】
【０００６】
本発明は上記の問題点に鑑みてされたもので、耐泥水性を大幅に向上させることができ、特に軸が偏心した場合にも耐泥水性に優れる密封装置を提供することを目的とする。
【課題を解決するための手段】
【０００７】
上記目的を達成するため、本発明の請求項１に係る密封装置は、相対動する二部材間の環状空間をシールするものであって、一の部材に嵌合する環状部材と、該環状部材に結合しているシール本体部と、他の部材に嵌合しているスリンガと、を備えた密封装置において、前記スリンガは、前記他の部材に嵌合している第一円筒部と、該第一円筒部の端部から外径方向に延びるフランジ部と、該フランジ部の端部から密封対象側に延びる第二円筒部を備え、前記シール本体部に前記第二円筒部の両周面と摺動する複数のダストリップを設けたことを特徴とするものである。
【発明の効果】
【０００８】
本発明は、以下の効果を奏する。
【０００９】
すなわち、上記構成を備えた本発明の密封装置は、サイドリップのほかに２枚のダストリップがスリンガの第二円筒部と摺動するので、外部からの泥水、ダスト等の異物が密封対象側に侵入するのを防止することができ、耐泥水性を大幅に向上することができる。特に、２枚のダストリップが第二円筒部を挟み込むように摺動しているので、軸が偏心したとき、一のダストリップのしめ代が低下しても、他のダストリップのしめ代が増加し、いずれか一のダストリップは確実に第二円筒部と密接に摺動するので、軸が偏心したときでも耐泥水性を大幅に向上することができる。特に軸がある一点を固定された状態で偏心する場合に有効である。
【発明を実施するための最良の形態】
【００１０】
以下に図面を参照して、この発明の好適な実施の形態を例示して説明する。ただし、この発明の範囲は、特に限定的記載がない限りは、この実施の形態に記載されている内容に限定する趣旨のものではない。
【００１１】
図１は、本発明の実施例に係る密封装置の要部断面を示しており、この密封装置１は、スリンガ２と、環状部材３と、シール本体部４を備えている。
【００１２】
スリンガ２は、軸（他の部材）５に嵌合している第一円筒部２１と、第一円筒部２１の反密封対象側（外部側）Ｂ端部から外径方向に延びるフランジ部２２と、フランジ部２２の外径端部から密封対象側（内部側）Ａに延びる第二円筒部２３と、を備えていて、断面略コの字形状をしている。
【００１３】
環状部材３は、ハウジング（一の部材）６に嵌合している円筒部３１と、円筒部３１の内部側Ｂ端部から内径方向に延びるフランジ部３２からなり、断面略Ｌ字形状をし、スリンガ２と対向している。
【００１４】
シール本体部４は、ゴム状弾性体で形成されていて、環状部材３の円筒部３１の内径側に位置する内径部４１と、フランジ部３２の外部側Ｂに位置する本体部４２と、フランジ部３２の内径端部に位置する端末部４３とが一体に加硫成形されて、環状部材３と結合している。内径部４１の内径側にはスリンガ２の第二円筒部２３の外周面２３ａに摺動し先端部を内径方向の外部側Ｂに向けた第一ダストリップ４４が設けられている。本体部４２には、第二円筒部２３の内周面２３ｂに摺動し先端を外径方向の外部側Ｂに向けた第二ダストリップ４５と、スリンガ２のフランジ部２２の内面２２ａに摺動し、先端を外径方向の外部側Ｂに向けたサイドリップ４６が設けられている。端末部４３には、内径方向の外部側Ｂに先端を向けたグリスリップ４７が設けられている。
【００１５】
上記構成による本発明の密封装置１は、グリスリップ４７が密封対象の油、グリス等の潤滑剤をシールし、第一ダストリップ４４、第二ダストリップ４５およびサイドリップ４６が泥水、ダスト等の異物が内部側Ａに侵入するのをシールする。特に、第一ダストリップ４４を通過した泥水、ダスト等の異物が第二ダストリップ４５とで形成される環状空間Ｘに滞留したとしても、環状空間Ｘが雨樋のように作用して、環状空間Ｘ下部に移動し、しかも第一ダストリップ４４の先端が外部に向いてスリンガ２の第二円筒部２３と摺動しているので、侵入した泥水、ダスト等の異物が第一ダストリップ４４から外部側Ｂに押し戻され、耐泥水性を大幅に向上することが可能となる。
【００１６】
更に、第一ダストリップ４４と第二ダストリップ４５がスリンガ２の第二円筒部２３を挟み込むように摺動しているので、例え、軸５が偏心し第一ダストリップ４４のしめ代が低下しても、第二ダストリップ４５のしめ代が増加し、第二ダストリップ４５が第二円筒部２３の内周面２３ｂと密接に摺動するので、軸５が偏心したときでも耐泥水性を大幅に向上することが可能となる。
【００１７】
なお、泥水試験とは、シール部が泥水、ダスト等の異物をどの程度シールするかを測定する試験であって、測定値が高いほど、シール性がよいことを示す。
【図面の簡単な説明】
【００１８】
【図１】本発明の実施例に係る密封装置の断面図
【図２】従来の実施例に係る密封装置の断面図
【符号の説明】
【００１９】
１  密封装置
２  スリンガ
２１，２３，３１  円筒部
２３ａ，２３ｂ  周面
２２，３２  フランジ部
３  環状部材
４  シール本体部
４１  内径部
４２  本体部
４３  端末部
４４，４５  ダストリップ
４６  サイドリップ
４７  グリスリップ
５  軸（他の部材）
６  ハウジング（一の部材）
Ａ  密封対象側（内部側）
Ｂ  反密封対象側（外部側）
Ｘ  環状空間
【図１】
2006125424.tif 000003
【図２】
2006125424.tif 000004